(57)【要約】ユーザの要望に沿った構築支援を簡便に実現する情報システム構築支援装置等が開示される。情報システム構築支援装置は、構築要件が入力された場合にシステムモデル情報ＤＢから構築要件を満たすシステムモデルを選定するシステムモデル選定部と、選定システムモデル群に基づいて運用情報ＤＢから運用情報を取得する運用情報取得部と、運用情報に含まれるパラメータを用いて評価用パラメータを算出するパラメータ算出部と、評価用パラメータを用いて選定システムモデルの性能を評価する性能評価部と、評価結果と入力構築要件とを比較して必須に設定された構築要件を維持したままで、選定システムモデルのサイジングファクタが定まるか否かを判定するサイジングファクタ判定部と、サイジングファクタが定まらない場合に、緩和された構築要件を提示する緩和条件提示部と、を備える。
2014054232.tif 000002
【特許請求の範囲】
【請求項１】
構築予定の情報システムである構築予定システムの構築要件が入力された場合に、予め記憶されているシステムの設計情報単位に設定されるシステムモデルの中から、前記構築要件を満たす前記システムモデルを選定するシステムモデル選定部と、
前記システムモデル選定部により選定された前記システムモデル、および当該システムモデルと類似する類似システムモデルに基づいて、既に構築されている情報システムである既存システムの運用情報を取得する運用情報取得部と、
前記運用情報取得部により取得された前記運用情報に含まれるパラメータを用いて、前記システムモデルの性能を評価する際に用いる評価用パラメータを算出するパラメータ算出部と、
前記パラメータ算出部により算出された前記評価用パラメータを用いて、前記システムモデル選定部により選定された前記システムモデルの性能を評価する性能評価部と、
前記性能評価部により評価された前記システムモデルの性能と前記入力された前記構築要件とを比較して、当該構築要件のうち少なくとも必須に設定された前記構築要件を維持したままで、前記システムモデル選定部により選定された前記システムモデルの前記設計情報に含まれるサーバの当該サーバに関するサイズを決定する要素であるサーバ要素が定まるか否かを判定するサーバ要素判定部と、
前記サーバ要素判定部により前記サーバ要素が定まらないと判定された場合に、緩和された前記構築要件を提示する緩和条件提示部と、
を備えることを特徴とする情報システム構築支援装置。
【請求項２】
前記運用情報取得部により取得された前記運用情報に含まれるパラメータと前記入力された前記構築要件とを比較して、前記運用情報ごとに、前記入力された前記構築要件との類似度を算出する類似度算出部と、
前記サーバ要素判定部により前記サーバ要素が定まらないと判定された場合に、前記入力された前記構築要件を緩和して前記サーバ要素を算出するサーバ要素算出部と、をさらに備え、
前記サーバ要素判定部は、前記サーバ要素が定まるか否かを判定する際に、前記類似度算出部により算出された前記類似度の逆数を不確実性の要素とし、ロバスト最適化を用いて、前記サーバ要素を算出し、
前記サーバ要素算出部は、前記類似度算出部により算出された前記類似度の逆数を不確実性の要素とし、ロバスト最適化を用いて、前記サーバ要素を算出し、
前記緩和条件提示部は、前記サーバ要素算出部により緩和された前記構築要件を提示する、
ことを特徴とする請求項１記載の情報システム構築支援装置。
【請求項３】
前記構築要件は、アプリケーションが果たす役割を決めるための機能要件および前記構築予定システムで提供する品質の保証レベルを決めるためのサービスレベル要件であり、
前記サーバ要素判定部は、前記性能評価部により評価された前記システムモデルの性能と前記入力された前記サービスレベル要件とを比較して、当該サービスレベル要件のうち少なくとも必須に設定された前記サービスレベル要件を維持したままで、前記サーバ要素が定まるか否かを判定し、
前記サーバ要素算出部は、前記サーバ要素判定部により前記サーバ要素が定まらないと判定された場合に、前記入力された前記サービスレベル要件を緩和して前記サーバ要素を算出し、
前記緩和条件提示部は、前記サーバ要素算出部により緩和された前記サービスレベル要件を提示する、
ことを特徴とする請求項１または２記載の情報システム構築支援装置。
【請求項４】
前記サーバ要素判定部により前記サーバ要素が定まると判定された場合に、当該サーバ要素を設定した前記システムモデルを用いて構築可能な情報システムを、前記構築予定システムの候補として提示する構築候補提示部を、さらに備えることを特徴とする請求項１〜３のいずれか１項に記載の情報システム構築支援装置。
【請求項５】
前記類似システムモデルは、前記システムモデル選定部により選定された前記システムモデルの前記設計情報のうち前記サーバ要素のみが異なる他の前記設計情報の前記システムモデルである、ことを特徴とする請求項１〜４のいずれか１項に記載の情報システム構築支援装置。
【請求項６】
前記システムモデルの性能は、非機能要件である、ことを特徴とする請求項１〜５のいずれか１項に記載の情報システム構築支援装置。
【請求項７】
構築予定の情報システムである構築予定システムの構築要件が入力された場合に、予め記憶されているシステムの設計情報単位に設定されるシステムモデルの中から、前記構築要件を満たす前記システムモデルを選定するシステムモデル選定ステップと、
前記システムモデル選定ステップにおいて選定された前記システムモデル、および当該システムモデルと類似する類似システムモデルに基づいて、既に構築されている情報システムである既存システムの運用情報を取得する運用情報取得ステップと、
前記運用情報取得ステップにおいて取得された前記運用情報に含まれるパラメータを用いて、前記システムモデルの性能を評価する際に用いる評価用パラメータを算出するパラメータ算出ステップと、
前記パラメータ算出ステップにおいて算出された前記評価用パラメータを用いて、前記システムモデル選定ステップにおいて選定された前記システムモデルの性能を評価する性能評価ステップと、
前記性能評価ステップにおいて評価された前記システムモデルの性能と前記入力された前記構築要件とを比較して、当該構築要件のうち少なくとも必須に設定された前記構築要件を維持したままで、前記システムモデル選定ステップにおいて選定された前記システムモデルの前記設計情報に含まれるサーバの当該サーバに関するサイズを決定する要素であるサーバ要素が定まるか否かを判定するサーバ要素判定ステップと、
前記サーバ要素判定ステップにおいて前記サーバ要素が定まらないと判定された場合に、緩和された前記構築要件を提示する緩和条件提示ステップと、
を含むことを特徴とする情報システム構築支援方法。
【請求項８】
前記運用情報取得ステップにおいて取得された前記運用情報に含まれるパラメータと前記入力された前記構築要件とを比較して、前記運用情報ごとに、前記入力された前記構築要件との類似度を算出する類似度算出ステップと、
前記サーバ要素判定ステップにおいて前記サーバ要素が定まらないと判定された場合に、前記入力された前記構築要件を緩和して前記サーバ要素を算出するサーバ要素算出ステップと、をさらに含み、
前記サーバ要素判定ステップでは、前記サーバ要素が定まるか否かを判定する際に、前記類似度算出ステップにおいて算出された前記類似度の逆数を不確実性の要素とし、ロバスト最適化を用いて、前記サーバ要素を算出し、
前記サーバ要素算出ステップでは、前記類似度算出ステップにより算出された前記類似度の逆数を不確実性の要素とし、ロバスト最適化を用いて、前記サーバ要素を算出し、
前記緩和条件提示ステップでは、前記サーバ要素算出ステップにおいて緩和された前記構築要件を提示する、
ことを特徴とする請求項７記載の情報システム構築支援方法。
【請求項９】
前記構築要件は、アプリケーションが果たす役割を決めるための機能要件および前記構築予定システムで提供する品質の保証レベルを決めるためのサービスレベル要件であり、
前記サーバ要素判定ステップでは、前記性能評価ステップにおいて評価された前記システムモデルの性能と前記入力された前記サービスレベル要件とを比較して、当該サービスレベル要件のうち少なくとも必須に設定された前記サービスレベル要件を維持したままで、前記サーバ要素が定まるか否かを判定し、
前記サーバ要素算出ステップでは、前記サーバ要素判定ステップにおいて前記サーバ要素が定まらないと判定された場合に、前記入力された前記サービスレベル要件を緩和して前記サーバ要素を算出し、
前記緩和条件提示ステップでは、前記サーバ要素算出ステップにおいて緩和された前記サービスレベル要件を提示する、
ことを特徴とする請求項７または８記載の情報システム構築支援方法。
【請求項１０】
前記サーバ要素判定ステップにおいて前記サーバ要素が定まると判定された場合に、当該サーバ要素を設定した前記システムモデルを用いて構築可能な情報システムを、前記構築予定システムの候補として提示する構築候補提示ステップを、さらに含むことを特徴とする請求項７〜９のいずれか１項に記載の情報システム構築支援方法。
【請求項１１】
前記類似システムモデルは、前記システムモデル選定ステップにおいて選定された前記システムモデルの前記設計情報のうち前記サーバ要素のみが異なる他の前記設計情報の前記システムモデルである、ことを特徴とする請求項７〜１０のいずれか１項に記載の情報システム構築支援方法。
【請求項１２】
前記システムモデルの性能は、非機能要件である、ことを特徴とする請求項７〜１１のいずれか１項に記載の情報システム構築支援方法。
【請求項１３】
コンピュータに、
構築予定の情報システムである構築予定システムの構築要件が入力された場合に、予め記憶されているシステムの設計情報単位に設定されるシステムモデルの中から、前記構築要件を満たす前記システムモデルを選定するシステムモデル選定ステップと、
前記システムモデル選定ステップにおいて選定された前記システムモデル、および当該システムモデルと類似する類似システムモデルに基づいて、既に構築されている情報システムである既存システムの運用情報を取得する運用情報取得ステップと、
前記運用情報取得ステップにおいて取得された前記運用情報に含まれるパラメータを用いて、前記システムモデルの性能を評価する際に用いる評価用パラメータを算出するパラメータ算出ステップと、
前記パラメータ算出ステップにおいて算出された前記評価用パラメータを用いて、前記システムモデル選定ステップにおいて選定された前記システムモデルの性能を評価する性能評価ステップと、
前記性能評価ステップにおいて評価された前記システムモデルの性能と前記入力された前記構築要件とを比較して、当該構築要件のうち少なくとも必須に設定された前記構築要件を維持したままで、前記システムモデル選定ステップにおいて選定された前記システムモデルの前記設計情報に含まれるサーバの当該サーバに関するサイズを決定する要素であるサーバ要素が定まるか否かを判定するサーバ要素判定ステップと、
前記サーバ要素判定ステップにおいて前記サーバ要素が定まらないと判定された場合に、緩和された前記構築要件を提示する緩和条件提示ステップと、
を実行させることを特徴とする情報システム構築支援プログラム。
【請求項１４】
前記運用情報取得ステップにおいて取得された前記運用情報に含まれるパラメータと前記入力された前記構築要件とを比較して、前記運用情報ごとに、前記入力された前記構築要件との類似度を算出する類似度算出ステップと、
前記サーバ要素判定ステップにおいて前記サーバ要素が定まらないと判定された場合に、前記入力された前記構築要件を緩和して前記サーバ要素を算出するサーバ要素算出ステップと、をさらに含み、
前記サーバ要素判定ステップでは、前記サーバ要素が定まるか否かを判定する際に、前記類似度算出ステップにおいて算出された前記類似度の逆数を不確実性の要素とし、ロバスト最適化を用いて、前記サーバ要素を算出し、
前記サーバ要素算出ステップでは、前記類似度算出ステップにより算出された前記類似度の逆数を不確実性の要素とし、ロバスト最適化を用いて、前記サーバ要素を算出し、
前記緩和条件提示ステップでは、前記サーバ要素算出ステップにおいて緩和された前記構築要件を提示する、
ことを特徴とする請求項１３記載の情報システム構築支援プログラム。
【請求項１５】
前記構築要件は、アプリケーションが果たす役割を決めるための機能要件および前記構築予定システムで提供する品質の保証レベルを決めるためのサービスレベル要件であり、
前記サーバ要素判定ステップでは、前記性能評価ステップにおいて評価された前記システムモデルの性能と前記入力された前記サービスレベル要件とを比較して、当該サービスレベル要件のうち少なくとも必須に設定された前記サービスレベル要件を維持したままで、前記サーバ要素が定まるか否かを判定し、
前記サーバ要素算出ステップでは、前記サーバ要素判定ステップにおいて前記サーバ要素が定まらないと判定された場合に、前記入力された前記サービスレベル要件を緩和して前記サーバ要素を算出し、
前記緩和条件提示ステップでは、前記サーバ要素算出ステップにおいて緩和された前記サービスレベル要件を提示する、
ことを特徴とする請求項１３または１４記載の情報システム構築支援プログラム。
【請求項１６】
前記サーバ要素判定ステップにおいて前記サーバ要素が定まると判定された場合に、当該サーバ要素を設定した前記システムモデルを用いて構築可能な情報システムを、前記構築予定システムの候補として提示する構築候補提示ステップを、さらに含むことを特徴とする請求項１３〜１５のいずれか１項に記載の情報システム構築支援プログラム。
【請求項１７】
前記類似システムモデルは、前記システムモデル選定ステップにおいて選定された前記システムモデルの前記設計情報のうち前記サーバ要素のみが異なる他の前記設計情報の前記システムモデルである、ことを特徴とする請求項１３〜１６のいずれか１項に記載の情報システム構築支援プログラム。
【請求項１８】
前記システムモデルの性能は、非機能要件である、ことを特徴とする請求項１３〜１７のいずれか１項に記載の情報システム構築支援プログラム。
【発明の詳細な説明】
【技術分野】
【０００１】
本発明は、情報システム構築支援装置、情報システム構築支援方法および情報システム構築支援プログラムに関する。
【背景技術】
【０００２】
クラウドコンピューティング技術の進歩により、クラウド環境を利用するユーザは、情報システムの運用に必要なサーバまたはストレージ等を仮想化データセンター上に集約できるようになった。これによりユーザは、運用に必要な規模の情報システムを比較的手軽に構築して、その情報システムを管理することができるようになった。下記特許文献１は、クラウド環境下における情報システムにおいて、ユーザ端末からアプリケーションの実行が要求されたときに、そのアプリケーションの実行環境をクラウド環境下に構築する情報処理装置を開示する。
【先行技術文献】
【特許文献】
【０００３】
【特許文献１】特開２０１０−２１８０４９号公報
【発明の概要】
【発明が解決しようとする課題】
【０００４】
特許文献１が開示する情報処理装置においては、アプリケーションの動作要件に含まれるリソースまたはミドルウェア等の組合せごとに実行環境が予め設定されている。そして、情報処理装置がアプリケーションの実行要求を受け取ったときに、情報処理装置は、そのアプリケーションの動作要件を満たす実行環境を、予め設定した実行環境の中から選択する。つまり、ユーザは、実行要求したアプリケーションの動作要件を全て満たす実行環境下でアプリケーションを動作させることになる。一方、全ての要件を満たす環境が無い場合には、情報処理装置は要件を緩和することになる。しかし、特許文献１には、どの要件をどの程度緩和すれば、どのような環境が付与されるのかを認識する手段は開示されていない。したがって、このような場合には、満足する環境を得るために、ユーザは、様々な要件を用いて試行錯誤を重ねる必要がある。【０００５】
本発明は、上述した課題を解決するためになされたものであり、ユーザの要望に沿った構築支援を簡便に実現することができる情報システム構築支援装置、情報システム構築支援方法および情報システム構築支援プログラムを提供することを目的の一つとする。
【課題を解決するための手段】
【０００６】
本発明の一態様である情報システム構築支援装置は、構築予定の情報システムである構築予定システムの構築要件が入力された場合に、予め記憶されているシステムの設計情報単位に設定されるシステムモデルの中から、前記構築要件を満たす前記システムモデルを選定するシステムモデル選定部と、前記システムモデル選定部により選定された前記システムモデル、および当該システムモデルと類似する類似システムモデルに基づいて、既に構築されている情報システムである既存システムの運用情報を取得する運用情報取得部と、前記運用情報取得部により取得された前記運用情報に含まれるパラメータを用いて、前記システムモデルの性能を評価する際に用いる評価用パラメータを算出するパラメータ算出部と、前記パラメータ算出部により算出された前記評価用パラメータを用いて、前記システムモデル選定部により選定された前記システムモデルの性能を評価する性能評価部と、前記性能評価部により評価された前記システムモデルの性能と前記入力された前記構築要件とを比較して、当該構築要件のうち少なくとも必須に設定された前記構築要件を維持したままで、前記システムモデル選定部により選定された前記システムモデルの前記設計情報に含まれるサーバの当該サーバに関するサイズを決定する要素であるサーバ要素が定まるか否かを判定するサーバ要素判定部と、前記サーバ要素判定部により前記サーバ要素が定まらないと判定された場合に、緩和された前記構築要件を提示する緩和条件提示部と、を備える。【０００７】
本発明の一態様である情報システム構築支援方法は、構築予定の情報システムである構築予定システムの構築要件が入力された場合に、予め記憶されているシステムの設計情報単位に設定されるシステムモデルの中から、前記構築要件を満たす前記システムモデルを選定するシステムモデル選定ステップと、前記システムモデル選定ステップにおいて選定された前記システムモデル、および当該システムモデルと類似する類似システムモデルに基づいて、既に構築されている情報システムである既存システムの運用情報を取得する運用情報取得ステップと、前記運用情報取得ステップにおいて取得された前記運用情報に含まれるパラメータを用いて、前記システムモデルの性能を評価する際に用いる評価用パラメータを算出するパラメータ算出ステップと、前記パラメータ算出ステップにおいて算出された前記評価用パラメータを用いて、前記システムモデル選定ステップにおいて選定された前記システムモデルの性能を評価する性能評価ステップと、前記性能評価ステップにおいて評価された前記システムモデルの性能と前記入力された前記構築要件とを比較して、当該構築要件のうち少なくとも必須に設定された前記構築要件を維持したままで、前記システムモデル選定ステップにおいて選定された前記システムモデルの前記設計情報に含まれるサーバの当該サーバに関するサイズを決定する要素であるサーバ要素が定まるか否かを判定するサーバ要素判定ステップと、前記サーバ要素判定ステップにおいて前記サーバ要素が定まらないと判定された場合に、緩和された前記構築要件を提示する緩和条件提示ステップと、を含む。【０００８】
本発明の一態様である情報システム構築支援プログラムは、コンピュータに、構築予定の情報システムである構築予定システムの構築要件が入力された場合に、予め記憶されているシステムの設計情報単位に設定されるシステムモデルの中から、前記構築要件を満たす前記システムモデルを選定するシステムモデル選定ステップと、前記システムモデル選定ステップにおいて選定された前記システムモデル、および当該システムモデルと類似する類似システムモデルに基づいて、既に構築されている情報システムである既存システムの運用情報を取得する運用情報取得ステップと、前記運用情報取得ステップにおいて取得された前記運用情報に含まれるパラメータを用いて、前記システムモデルの性能を評価する際に用いる評価用パラメータを算出するパラメータ算出ステップと、前記パラメータ算出ステップにおいて算出された前記評価用パラメータを用いて、前記システムモデル選定ステップにおいて選定された前記システムモデルの性能を評価する性能評価ステップと、前記性能評価ステップにおいて評価された前記システムモデルの性能と前記入力された前記構築要件とを比較して、当該構築要件のうち少なくとも必須に設定された前記構築要件を維持したままで、前記システムモデル選定ステップにおいて選定された前記システムモデルの前記設計情報に含まれるサーバの当該サーバに関するサイズを決定する要素であるサーバ要素が定まるか否かを判定するサーバ要素判定ステップと、前記サーバ要素判定ステップにおいて前記サーバ要素が定まらないと判定された場合に、緩和された前記構築要件を提示する緩和条件提示ステップと、を実行させる。【０００９】
また、本発明の目的は、上記のプログラムが格納されたコンピュータ読み取り可能な記録媒体によっても達成される。
【発明の効果】
【００１０】
本発明によれば、ユーザの要望に沿った構築支援を簡便に実現することができる。
【図面の簡単な説明】
【００１１】
【図１】本発明の実施形態における、情報システム構築支援装置の構成を例示する図である。
【図２】本発明の実施形態における、ユーザが情報システムを構築する際に使用する画面の一例である。
【図３】図２に示すサービスレベル要件入力領域に表示される画面構成の一例である。
【図４】図２に示す機能要件選択領域に表示される画面構成の一例である。
【図５】図２に示すシステムモデル候補表示領域に表示される画面構成の一例である。
【図６】本発明の実施形態における、評価用パラメータを表示する画面の一例である。
【図７Ａ】本発明の実施形態における、シミュレーション結果を表示する画面の一例である。
【図７Ｂ】本発明の実施形態における、緩和条件を表示する画面の一例である。
【図８】本発明の実施形態における、情報システムの構築を支援する際の手順を説明するためのフローチャートである。
【図９】本発明の実施形態における、情報システムの構築を支援する際の手順を説明するためのフローチャートである。
【図１０】本発明に係る装置の他の構成を例示する図である。
【図１１】本発明の変形例における情報システム構築支援装置の構成を例示する図である。
【図１２】本発明の情報システム構築支援装置のハードウェア構成の一例を示す図である。
【発明を実施するための形態】
【００１２】
以下、添付図面を参照して、本発明に係る情報システム構築支援装置、情報システム構築支援方法および情報システム構築支援プログラムの好適な実施形態について説明する。実施形態における情報システム構築支援装置は、クラウド環境下の仮想マシンを利用して構築する様々な情報システムの性能を評価し、ユーザが提示した構築要件に見合う情報システムの構築を、ユーザとやり取りを行いながら支援する装置である。
【００１３】
まず、図１を参照して、実施形態における情報システム構築支援装置の構成について説明する。図１に示すように、情報システム構築支援装置１は、機能的には、例えば、システムモデル選定部１１と、運用情報取得部１２と、パラメータ算出部１３と、性能評価部１４と、サイジングファクタ判定部１５と、サイジングファクタ算出部１６と、緩和条件提示部１７と、構築候補提示部１８と、を有する。
【００１４】
各ブロック図に示したブロック分けは、説明の便宜上から表された構成である。実施形態を例に説明される本発明は、その実装に際して、各ブロック図に示した構成には限定されない。
【００１５】
図１２は、情報システム構築支援装置１のハードウェア構成の一例を示す図である。
ここで、情報システム構築支援装置１は、物理的には、例えば、ＣＰＵ（Central Processing Unit）２０と、記憶装置３０と、入出力インターフェース４０とを含む。記憶装置３０は、例えば、ＣＰＵ２０で処理されるプログラムおよびデータを記憶するＲＯＭ（Read Only Memory）やＨＤＤ（Hard Disk Drive）、主として制御処理のための各種作業領域として使用するＲＡＭ（Random Access Memory）等を含む。これらの各要素は、互いにバス５０を介して接続する。ＣＰＵ２０が、ＲＯＭに記憶されたコンピュータプログラム（以下、「プログラム」と称する）を実行し、入出力インターフェースを４０を介して受信されるメッセージや、ＲＡＭに展開されるデータ等を処理することで、情報システム構築支援装置１における各部の機能を実現する。尚、本実施形態および後述する変形例を例として説明される本発明は、係るプログラムが格納されたコンパクトディスク等の不揮発性の記憶媒体６０によっても構成される。記憶媒体６０が格納するプログラムは、例えばドライブ装置７０により読み出される。図１２に示す情報システム構築支援装置１のハードウェア構成例は、後述する変形例にも適用可能である。尚、情報システム構築支援装置１は専用の装置であってもよい。情報システム構築支援装置１は、２つ以上の物理的に分離した装置が有線または無線で接続されることによって構成されていてもよい。
【００１６】
システムモデル選定部１１は、ユーザがこれから構築しようと予定している情報システム（以下、「構築予定システム」という。）の構築要件がユーザにより入力された場合に、その構築要件を満たすシステムモデルを、システムモデル情報ＤＢ（データベース、以下「ＤＢ」という。）２を参照しながら選定する。システムモデル選定部１１は、構築要件を満たすシステムモデルが複数存在する場合には、複数のシステムモデルを選定する。
【００１７】
構築要件として、例えば、機能要件およびサービスレベル要件を用いることができる。機能要件は、アプリケーションが果たす役割を決めるための条件であり、例えば、データ処理、データストア、画像分析、応答作成、統計処理、または、在庫管理等の機能を含む。サービスレベル要件は、構築予定システムで提供する品質の保証レベルを決めるための条件であり、例えば、スループット、ＣＰＵ最大使用率、ディスク最大使用率、ネットワーク使用率、または、ＴＡＴ（Turn Around Time）等の保証レベルを含む。
【００１８】
システムモデルは、情報システムを構築するための設計情報単位に設定されるモデルである。設計情報には、例えば、ネットワークの構成、サーバの構成、アプリケーションのコンポーネント間の関係、または、アプリケーションの動作を示す処理フロー等を記述した情報が含まれる。
【００１９】
システムモデル情報ＤＢ２は、既に構築されている情報システム（以下、「既存システム」という。）の設計情報を含むシステムモデル情報を記憶するデータベースである。システムモデル情報ＤＢ２は、構築要件をキーにして、システムモデル情報を検索できるように設計される。システムモデル情報ＤＢ２は、情報システム構築支援装置１の内部に備えてもよいし、外部に備えてもよい。
【００２０】
ここで、ユーザは、ユーザ端末（不図示）を操作して情報システム構築支援装置１にアクセスし、情報システム構築支援装置１から提供される各種画面を使用して構築予定システムを決定していく。図２を参照して、ユーザが使用する画面について説明する。図２は、ユーザが情報システムを構築する際に使用する画面の一例である。表示画面ＧＡ上には、サービスレベル要件を入力するための領域ｇａと、機能要件を入力するための領域ｇｂとが設けられる。また、構築要件を満たすシステムモデルが選定された場合に、その選定された一つまたは複数のシステムモデルを候補として表示する領域Ｇｐが、表示画面ＧＡ上にポップアップ表示される。
【００２１】
図３に、サービスレベル要件入力領域ｇａに表示される画面構成の一例を示す。図３に示すように、サービスレベル要件入力領域ｇａには、サービスレベル要件として設定するサービスレベル名および目標値を入力するためのサービスレベル名項目ｇａ２および目標値項目ｇａ３が表示される。サービスレベル名項目ｇａ２と目標値項目ｇａ３との組は、入力領域ｇａの上段に入力するほど、システムモデルの性能を評価する際の優先度が高くなる。言い換えると、最上段に入力された項目の優先度が最も高くなり、下段になるほど優先度が低くなり、最下段に入力された項目の優先度が最も低くなる。
【００２２】
図３のサービスレベル名項目ｇａ２には、上段から順に、"スループット"、"ＣＰＵ最大使用率"、"ディスク最大使用率"、"ネットワーク使用率"および"ＴＡＴ"が入力され、それらに対応する目標値項目ｇａ３には、"６００"、"８０"、"７０"、"５０"および"２００ｍｓ"がそれぞれ入力されている。
【００２３】
また、サービスレベル要件入力領域ｇａには、サービスレベル名項目ｇａ２ごとに、必須項目ｇａ１が表示される。この必須項目ｇａ１は、システムモデルの性能を評価する際に、対応するサービスレベル名項目ｇａ２が目標値を達成していることを必須の要件にするか否かを選択するためのチェック項目である。
【００２４】
図３では、"スループット"および"ＣＰＵ最大使用率"に対応する必須項目ｇａ１にチェックが入力されている。この場合、"スループット"および"ＣＰＵ最大使用率"が必須要件となるため、"スループット"および"ＣＰＵ最大使用率"の優先度が最も高くなり、"ディスク最大使用率"、"ネットワーク使用率"、"ＴＡＴ"の順に、優先度が低くなっていく。具体的には、ユーザに提示するシステムモデルの候補は、少なくとも、"スループット"が"６００"以上あり、かつ、"ＣＰＵ最大使用率"が"８０"％以下に収まるシステムモデルが対象となる。
【００２５】
また、サービスレベル要件入力領域ｇａには、サービスレベル名項目ｇａ２ごとにレベルバーｇａ４が表示される。このレベルバーｇａ４は、ユーザが評価対象として選択したシステムモデルのシミュレーション結果に基づき、そのレベルバーｇａ４に対応するサービスレベル名項目ｇａ２が目標値を達成する可能性の度合いを示すものである。
【００２６】
図４に、機能要件選択領域ｇｂに表示される画面構成の一例を示す。図４に示すように、機能要件選択領域ｇｂには、機能要件として、データ処理、データストア、画像分析、応答作成、統計処理および在庫管理を選択入力するための各種項目が表示される。ユーザは、機能要件選択領域ｇｂを利用して、構築予定システムに対して所望する機能要件を入力する。
【００２７】
図５に、システムモデル候補表示領域Ｇｐに表示される画面構成の一例を示す。図５に示すように、システムモデル候補表示領域Ｇｐには、性能評価に採用するシステムモデルを選択するための領域ｇｃと、選択領域ｇｃで選択されたシステムモデルのモデル図を表示するための領域ｇｄとが設けられる。
【００２８】
選択領域ｇｃには、システムモデル選定部１１により選定された一つまたは複数のシステムモデルが表示される。表示領域ｇｄに表示するモデル図としては、例えば、内部機能相関図、機能スタック図、または、処理フロー図等がある。ユーザは、システムモデル候補表示領域Ｇｐを利用して、構築予定システムの性能評価または情報システムの構築を実行させる。具体的に、例えば、ユーザは、選択領域ｇｃで一つのシステムモデルを選択して、類似検索ボタンをクリックすることで構築予定システムの性能評価を実行させる。その評価結果を容認したユーザは、システム作成ボタンをクリックすることで情報システムの構築を実行させる。
【００２９】
図１に示す運用情報取得部１２は、システムモデル選定部１１により選定されたシステムモデルを採用して過去に構築された既存システムの運用情報を運用情報ＤＢ３から取得する。システムモデル選定部１１により選定されたシステムモデルが複数存在する場合には、ユーザにより選択領域ｇｃで選択されたシステムモデルを採用した既存システムの運用情報を運用情報ＤＢ３から取得する。
【００３０】
運用情報取得部１２は、システムモデル選定部１１により選定されたシステムモデルに類似するシステムモデルを採用して過去に構築された既存システムの運用情報を運用情報ＤＢ３からさらに取得する。本実施形態では、説明の便宜のために、システムモデル選定部１１により選定されたシステムモデルと、このシステムモデルに類似するシステムモデルとの集合を、「選定システムモデル群」という。
【００３１】
選定されたシステムモデルに類似するシステムモデルとして、例えば、選定されたシステムモデルの設計情報のうちサーバのサイジングファクタのみが異なる設計情報を有するシステムモデルを採用することができる。
【００３２】
ここで、サーバのサイジングファクタは、サーバに関するサイズを決定する要素（サーバ要素）であり、例えば、サーバの台数、または、サーバに搭載するＣＰＵのコア数等を含む。
【００３３】
運用情報は、情報システムを運用する運用者によって管理される情報であり、例えば、ＣＰＵの負荷、リクエストの処理数、ハードディスクの故障履歴等を含む。
【００３４】
運用情報ＤＢ３は、既存システムの運用情報を記憶するデータベースである。運用情報ＤＢ３は、システムモデルをキーにして、運用情報を検索できるように設計される。運用情報ＤＢ３は、情報システム構築支援装置１の内部に備えてもよいし、外部に備えてもよい。
【００３５】
パラメータ算出部１３は、運用情報取得部１２により取得された運用情報に含まれるパラメータを用いて、情報システムの性能、信頼性、拡張性、セキュリティ、または、ミッションクリティカル性（以下、「ＭＣ（Mission Critical）性」という。）などの非機能要件を評価する際に用いる評価用パラメータを算出する。非機能要件の指標は、信頼性、可用性、保守性等の品質指標や、パフォーマンス等の性能指標が高いほど、高くなる。
【００３６】
パラメータとしては、例えば、リクエストの到着率、アプリケーションメッセージの平均送信サイズ、平均ＣＰＵ時間で表すＷｅｂ負荷、ディスク読込み時間で表すＷｅｂ読込み負荷、ディスク書込み時間で表すＷｅｂ書込み負荷、ＳＱＬ（Structured Query Language）実行時の平均サイズ、平均ＣＰＵ時間で表すアプリケーション負荷、または、ディスク書込み時間で表すアプリケーション書込み負荷等を用いることができる。
【００３７】
評価用パラメータは、運用情報取得部１２により取得された選定システムモデル群の運用情報に含まれる各パラメータに合わせて設けられる。評価用パラメータの値には、その選定システムモデル群のパラメータ値の平均値を設定する。
【００３８】
図６に、評価用パラメータの表示画面の一例を示す。図６に示すように、評価用パラメータ表示画面ＧＢには、評価用パラメータの項目名と評価用パラメータの値とが一覧形式で表示されている。
【００３９】
図１に示す性能評価部１４は、パラメータ算出部１３により算出された評価用パラメータを用いて、システムモデル選定部１１により選定されたシステムモデルの性能を評価する。
【００４０】
サイジングファクタ判定部１５は、性能評価部１４により評価された結果と、ユーザにより入力されたサービスレベル要件とを比較し、このサービスレベル要件のうち少なくとも必須に設定されたサービスレベル要件を維持したままで、システムモデル選定部１１により選定されたシステムモデルのサイジングファクタが定まるか否かを判定する。サイジングファクタが定まらない場合としては、サイジングファクタが、規定の上限数または下限数を超えている場合が該当する。
【００４１】
具体的に、サイジングファクタ判定部１５は、システムモデル選定部１１により選定されたシステムモデルの性能が、少なくとも、図３の必須項目ｇａ１にチェックが入力されているサービスレベル要件を満たす範囲で、その選定されたシステムモデルのサイジングファクタを定めることができるか否かを判定する。この場合、図３の必須項目ｇａ１にチェックが入力されていないサービスレベル要件は必ずしも満たしていなくてもよいが、満たしていない程度は、そのサービスレベル要件に対応する優先度が高い程、小さくなるように、重み付けを設定して、サイジングファクタが定められるか否かを判定する。
【００４２】
サイジングファクタ算出部１６は、サイジングファクタ判定部１５によりサイジングファクタが定まらないと判定された場合に、ユーザにより入力されたサービスレベル要件を緩和してサイジングファクタを算出する。サービスレベル要件を緩和する程度は、サイジングファクタが定まる範囲内に任意に定めることができる。
【００４３】
緩和条件提示部１７は、サイジングファクタ算出部１６により緩和されたサービスレベル要件を提示する。
【００４４】
図７Ｂに、緩和条件を表示する画面の一例を示す。図７Ｂに示すように、緩和条件提示画面ＧＤには、緩和するサービスレベル要件の名称を表示するサービスレベル要件名項目ｇｄ１と、緩和する目標値を表示する目標値項目ｇｄ２とが表示される。図７Ａは、シミュレーション結果を表示する画面の一例である。シミュレーション結果表示画面ＧＣには、必須項目ｇｃ１、サービスレベル名項目ｇｃ２、目標値項目ｇｃ３およびシミュレーション結果バーｇｃ４が表示されている。
【００４５】
構築候補提示部１８は、サイジングファクタ判定部１５によりサイジングファクタが定まると判定された場合に、そのサイジングファクタを設定したシステムモデルを用いて構築可能な情報システムを、構築予定システムの候補としてユーザ端末に提示する。
【００４６】
次に、図８および図９を参照して、情報システム構築支援装置１の動作について説明する。図８および図９は、情報システムの構築を支援する際の手順を説明するためのフローチャートである。
【００４７】
最初に、システムモデル選定部１１は、ユーザにより構築予定システムの機能要件およびサービスレベル要件の各入力が確定したか否かを判定する（ステップＳ１０１）。この判定がＮＯである場合（ステップＳ１０１においてＮＯ）には、ＹＥＳになるまで待機する。
【００４８】
一方、上記ステップＳ１０１における判定で機能要件およびサービスレベル要件の各入力が確定したと判定された場合（ステップＳ１０１においてＹＥＳ）に、システムモデル選定部１１は、機能要件およびサービスレベル要件を満たすシステムモデルを、システムモデル情報ＤＢ２を参照して選定する（ステップＳ１０２）。選定したシステムモデルが複数存在する場合には、ユーザにいずれかのシステムモデルを選択させることで、ステップＳ１０２で選定するシステムモデルを一つに絞る。
【００４９】
続いて、運用情報取得部１２は、上記ステップＳ１０２で選定されたシステムモデルおよびこのシステムモデルに類似するシステムモデルをそれぞれ採用した既存システムの運用情報を運用情報ＤＢ３から取得する（ステップＳ１０３）。
【００５０】
続いて、パラメータ算出部１３は、上記ステップＳ１０３で取得された運用情報に含まれるパラメータを用いて、情報システムの非機能要件を評価する際に用いる評価用パラメータを算出する（ステップＳ１０４）。
【００５１】
続いて、性能評価部１４は、上記ステップＳ１０４で算出された評価用パラメータを用いて、上記ステップＳ１０２で選定されたシステムモデルの性能を評価する（ステップＳ１０５）。
【００５２】
続いて、サイジングファクタ判定部１５は、上記ステップＳ１０５で評価された結果と、上記ステップＳ１０１で入力されたサービスレベル要件とを比較し、このサービスレベル要件のうち少なくとも必須に設定されたサービスレベル要件を維持したままで、上記ステップＳ１０２で選定されたシステムモデルにおけるサイジングファクタが定まるか否かを判定する（ステップＳ１０６）。
【００５３】
上記ステップＳ１０６における判定がＮＯである場合（ステップＳ１０６においてＮＯ）に、サイジングファクタ算出部１６は、上記ステップＳ１０１で入力されたサービスレベル要件を緩和して、上記ステップＳ１０２で選定されたシステムモデルにおけるサイジングファクタを算出する（ステップＳ１０７）。
【００５４】
続いて、緩和条件提示部１７は、上記ステップＳ１０７で緩和されたサービスレベル要件をユーザに提示する（ステップＳ１０８）。
【００５５】
続いて、サービスレベル要件の再入力が確定するまで待機し（ステップＳ１０９においてＮＯ）、サービスレベル要件の再入力が確定した場合（ステップＳ１０９においてＹＥＳ）に、上述したステップＳ１０２に処理を移行する。
【００５６】
一方、上記ステップＳ１０６の判定でシステムモデルにおけるサイジングファクタが定まると判定された場合（ステップＳ１０６においてＹＥＳ）に、構築候補提示部１８は、上記ステップＳ１０６でサイジングファクタが設定された後のシステムモデルで構築可能な情報システムを、構築予定システムの候補としてユーザに提示する（ステップＳ１１０）。
【００５７】
上述したように、実施形態における情報システム構築支援装置１によれば、システムモデル選定部１１は、ユーザにより入力された機能要件およびサービスレベル要件を満たすシステムモデルを選定する。運用情報取得部１２は、選定システムモデル群に対応する既存システムの運用情報を取得する。パラメータ算出部１３は、上記取得した運用情報に含まれるパラメータを用いて評価用パラメータを算出する。性能評価部１４は、上記選定したシステムモデルの性能を評価用パラメータを用いて評価する。サイジングファクタ判定部１５は、上記評価したシステムモデルの性能と上記入力されたサービスレベル要件とを比較して、上記選定したシステムモデルのサイジングファクタが定まるか否かを判定する。サイジングファクタが定まらないと判定された場合に、サイジングファクタ算出部１６は、上記入力されたサービスレベル要件を緩和してサイジングファクタを算出する。緩和条件提示部１７は、緩和されたサービスレベル要件を提示する。
【００５８】
これにより、情報システム構築支援装置１は、ユーザが入力した構築要件を満たすシステムモデルを構築予定システムの候補として選定することができる。また、情報システム構築支援装置１は、選定システムモデル群に対応する既存システムの運用情報に基づいて算出した評価用パラメータを用いて、選定したシステムモデルの非機能要件を評価することができる。情報システム構築支援装置１は、その評価結果と、ユーザが入力したサービスレベル要件とを比較して上記選定したシステムモデルにおけるサイジングファクタが定まらない場合に、サービスレベル要件を緩和してサイジングファクタを算出し、緩和されたサービスレベル要件をユーザに提示することができる。
【００５９】
それゆえに、実施形態における情報システム構築支援装置１によれば、ユーザの要望に沿った構築支援を簡便に実現することができる。
【００６０】
なお、上述した実施形態は、単なる例示に過ぎず、実施形態に明示していない種々の変形または技術の適用を排除するものではない。すなわち、本発明は、その趣旨を逸脱しない範囲で様々な形態に変形して実施することができる。
【００６１】
例えば、上述した実施形態における情報システム構築支援装置１は、図１に示す各機能を構成要素としているが、本発明に係る情報システム構築支援装置の構成は、これに限定されない。図１０は、本発明に係る情報システム構築支援装置の他の構成を例示する図である。図１０に示す情報システム構築支援装置１Ａは、図１に示す情報システム構築支援装置１の各機能から、サイジングファクタ算出部１６および構築候補提示部１８を省略したものである。省略した各機能は、ネットワークを介して接続可能な外部の装置に備えることができる。
【００６２】
また、上述した実施形態における情報システム構築支援装置に、以下の類似度算出機能をオプションとして追加してもよい。図１１を参照して、本変形例における情報システム構築支援装置の構成について説明する。
【００６３】
変形例における情報システム構築支援装置１Ｂが、上述した実施形態における情報システム構築支援装置１と相違する点は、類似度算出部１９が追加される点と、サイジングファクタ判定部１５およびサイジングファクタ算出部１６の機能の一部が変更される点である。それ以外の構成については、実施形態における情報システム構築支援装置１の各構成と同様である。したがって、各構成要素には同一の符号を付し、その説明は省略する。以下においては、主に実施形態との相違点について説明する。
【００６４】
類似度算出部１９は、運用情報取得部１２により取得された運用情報に含まれるパラメータと入力された構築要件とを比較して、運用情報ごとに、入力された構築要件との類似度を算出する。
【００６５】
サイジングファクタ判定部１５およびサイジングファクタ算出部１６は、サイジングファクタを求める際に、類似度算出部１９により算出された類似度の逆数を不確実性の要素とし、後述するロバスト最適化を用いてサイジングファクタを求める。
【００６６】
ここで、不確実性とロバスト最適化とについて説明する。一般に、世の中の問題には様々な不確実性が存在する。例えば、将来の生産計画を立てる問題をモデル化する場合には、将来の需要またはコストの予測値を設定する際に、過去のデータを用いることが多いが、これらの値には予測誤差が含まれており、この予測誤差が不確実性の要因となる。このような不確実性を取り扱う手法として公知のロバスト最適化がある。このロバスト最適化は、不確実性の範囲を予め設定し、その中で最悪の事態が発生した場合を想定して最適化を行う手法である。したがって、ロバスト最適化を用いて最適化されたシステムは、予測可能な最悪な事態が発生した場合でも目的を達成することが可能となる。
【００６７】
本変形例では、類似度算出部１９により算出された類似度の逆数を不確実性の要素とし、この類似度の逆数が想定される最悪値に至っても、構築要件を満たすことができるように、サイジングファクタを設定する。
【００６８】
このように、変形例における情報システム構築支援装置１Ｂによれば、上述した実施形態における情報システム構築支援装置１が奏する効果に加え、予測可能な最悪な事態が発生した場合であっても目的を達成することができる情報システムをユーザに提示することが可能となる。
【００６９】
上述した実施形態の一部または全部は、以下の付記のようにも記載され得るが、本発明を以下のように限定するものではない。
【００７０】
（付記１）  構築予定の情報システムである構築予定システムの構築要件が入力された場合に、予め記憶されているシステムの設計情報単位に設定されるシステムモデルの中から、前記構築要件を満たす前記システムモデルを選定するシステムモデル選定部と、前記システムモデル選定部により選定された前記システムモデル、および当該システムモデルと類似する類似システムモデルに基づいて、既に構築されている情報システムである既存システムの運用情報を取得する運用情報取得部と、前記運用情報取得部により取得された前記運用情報に含まれるパラメータを用いて、前記システムモデルの性能を評価する際に用いる評価用パラメータを算出するパラメータ算出部と、前記パラメータ算出部により算出された前記評価用パラメータを用いて、前記システムモデル選定部により選定された前記システムモデルの性能を評価する性能評価部と、前記性能評価部により評価された前記システムモデルの性能と前記入力された前記構築要件とを比較して、当該構築要件のうち少なくとも必須に設定された前記構築要件を維持したままで、前記システムモデル選定部により選定された前記システムモデルの前記設計情報に含まれるサーバの当該サーバに関するサイズを決定する要素であるサーバ要素が定まるか否かを判定するサーバ要素判定部と、前記サーバ要素判定部により前記サーバ要素が定まらないと判定された場合に、緩和された前記構築要件を提示する緩和条件提示部と、を備えることを特徴とする情報システム構築支援装置。
【００７１】
（付記２）  前記運用情報取得部により取得された前記運用情報に含まれるパラメータと前記入力された前記構築要件とを比較して、前記運用情報ごとに、前記入力された前記構築要件との類似度を算出する類似度算出部と、前記サーバ要素判定部により前記サーバ要素が定まらないと判定された場合に、前記入力された前記構築要件を緩和して前記サーバ要素を算出するサーバ要素算出部と、をさらに備え、サーバ要素判定部は、前記サーバ要素が定まるか否かを判定する際に、前記類似度算出部により算出された前記類似度の逆数を不確実性の要素とし、ロバスト最適化を用いて、前記サーバ要素を算出し、前記サーバ要素算出部は、前記類似度算出部により算出された前記類似度の逆数を不確実性の要素とし、ロバスト最適化を用いて、前記サーバ要素を算出し、前記緩和条件提示部は、前記サーバ要素算出部により緩和された前記構築要件を提示する、ことを特徴とする付記１記載の情報システム構築支援装置。
【００７２】
（付記３）  前記構築要件は、アプリケーションが果たす役割を決めるための機能要件および前記構築予定システムで提供する品質の保証レベルを決めるためのサービスレベル要件であり、前記サーバ要素判定部は、前記性能評価部により評価された前記システムモデルの性能と前記入力された前記サービスレベル要件とを比較して、当該サービスレベル要件のうち少なくとも必須に設定された前記サービスレベル要件を維持したままで、前記サーバ要素が定まるか否かを判定し、前記サーバ要素算出部は、前記サーバ要素判定部により前記サーバ要素が定まらないと判定された場合に、前記入力された前記サービスレベル要件を緩和して前記サーバ要素を算出し、前記緩和条件提示部は、前記サーバ要素算出部により緩和された前記サービスレベル要件を提示する、ことを特徴とする付記１または２記載の情報システム構築支援装置。
【００７３】
（付記４）  前記サーバ要素判定部により前記サーバ要素が定まると判定された場合に、当該サーバ要素を設定した前記システムモデルを用いて構築可能な情報システムを、前記構築予定システムの候補として提示する構築候補提示部を、さらに備えることを特徴とする付記１〜３のいずれかに記載の情報システム構築支援装置。
【００７４】
（付記５）  前記類似システムモデルは、前記システムモデル選定部により選定された前記システムモデルの前記設計情報のうち前記サーバ要素のみが異なる他の前記設計情報の前記システムモデルである、ことを特徴とする付記１〜４のいずれかに記載の情報システム構築支援装置。
【００７５】
（付記６）  前記システムモデルの性能は、非機能要件である、ことを特徴とする付記１〜５のいずれかに記載の情報システム構築支援装置。
【００７６】
（付記７）  構築予定の情報システムである構築予定システムの構築要件が入力された場合に、予め記憶されているシステムの設計情報単位に設定されるシステムモデルの中から、前記構築要件を満たす前記システムモデルを選定するシステムモデル選定ステップと、前記システムモデル選定ステップにおいて選定された前記システムモデル、および当該システムモデルと類似する類似システムモデルに基づいて、既に構築されている情報システムである既存システムの運用情報を取得する運用情報取得ステップと、前記運用情報取得ステップにおいて取得された前記運用情報に含まれるパラメータを用いて、前記システムモデルの性能を評価する際に用いる評価用パラメータを算出するパラメータ算出ステップと、前記パラメータ算出ステップにおいて算出された前記評価用パラメータを用いて、前記システムモデル選定ステップにおいて選定された前記システムモデルの性能を評価する性能評価ステップと、前記性能評価ステップにおいて評価された前記システムモデルの性能と前記入力された前記構築要件とを比較して、当該構築要件のうち少なくとも必須に設定された前記構築要件を維持したままで、前記システムモデル選定ステップにおいて選定された前記システムモデルの前記設計情報に含まれるサーバの当該サーバに関するサイズを決定する要素であるサーバ要素が定まるか否かを判定するサーバ要素判定ステップと、前記サーバ要素判定ステップにおいて前記サーバ要素が定まらないと判定された場合に、緩和された前記構築要件を提示する緩和条件提示ステップと、を含むことを特徴とする情報システム構築支援方法。
【００７７】
（付記８）  前記運用情報取得ステップにおいて取得された前記運用情報に含まれるパラメータと前記入力された前記構築要件とを比較して、前記運用情報ごとに、前記入力された前記構築要件との類似度を算出する類似度算出ステップと、前記サーバ要素判定ステップにおいて前記サーバ要素が定まらないと判定された場合に、前記入力された前記構築要件を緩和して前記サーバ要素を算出するサーバ要素算出ステップと、をさらに含み、サーバ要素判定ステップでは、前記サーバ要素が定まるか否かを判定する際に、前記類似度算出ステップにおいて算出された前記類似度の逆数を不確実性の要素とし、ロバスト最適化を用いて、前記サーバ要素を算出し、前記サーバ要素算出ステップでは、前記類似度算出ステップにより算出された前記類似度の逆数を不確実性の要素とし、ロバスト最適化を用いて、前記サーバ要素を算出し、前記緩和条件提示ステップでは、前記サーバ要素算出ステップにおいて緩和された前記構築要件を提示する、ことを特徴とする付記７記載の情報システム構築支援方法。
【００７８】
（付記９）  前記構築要件は、アプリケーションが果たす役割を決めるための機能要件および前記構築予定システムで提供する品質の保証レベルを決めるためのサービスレベル要件であり、前記サーバ要素判定ステップでは、前記性能評価ステップにおいて評価された前記システムモデルの性能と前記入力された前記サービスレベル要件とを比較して、当該サービスレベル要件のうち少なくとも必須に設定された前記サービスレベル要件を維持したままで、前記サーバ要素が定まるか否かを判定し、前記サーバ要素算出ステップでは、前記サーバ要素判定ステップにおいて前記サーバ要素が定まらないと判定された場合に、前記入力された前記サービスレベル要件を緩和して前記サーバ要素を算出し、前記緩和条件提示ステップでは、前記サーバ要素算出ステップにおいて緩和された前記サービスレベル要件を提示する、ことを特徴とする付記７または８記載の情報システム構築支援方法。
【００７９】
（付記１０）  前記サーバ要素判定ステップにおいて前記サーバ要素が定まると判定された場合に、当該サーバ要素を設定した前記システムモデルを用いて構築可能な情報システムを、前記構築予定システムの候補として提示する構築候補提示ステップを、さらに含むことを特徴とする付記７〜９のいずれかに記載の情報システム構築支援方法。
【００８０】
（付記１１）  前記類似システムモデルは、前記システムモデル選定ステップにおいて選定された前記システムモデルの前記設計情報のうち前記サーバ要素のみが異なる他の前記設計情報の前記システムモデルである、ことを特徴とする付記７〜１０のいずれかに記載の情報システム構築支援方法。
【００８１】
（付記１２）  前記システムモデルの性能は、非機能要件である、ことを特徴とする付記７〜１１のいずれかに記載の情報システム構築支援方法。
【００８２】
（付記１３）  コンピュータに、構築予定の情報システムである構築予定システムの構築要件が入力された場合に、予め記憶されているシステムの設計情報単位に設定されるシステムモデルの中から、前記構築要件を満たす前記システムモデルを選定するシステムモデル選定ステップと、前記システムモデル選定ステップにおいて選定された前記システムモデル、および当該システムモデルと類似する類似システムモデルに基づいて、既に構築されている情報システムである既存システムの運用情報を取得する運用情報取得ステップと、前記運用情報取得ステップにおいて取得された前記運用情報に含まれるパラメータを用いて、前記システムモデルの性能を評価する際に用いる評価用パラメータを算出するパラメータ算出ステップと、前記パラメータ算出ステップにおいて算出された前記評価用パラメータを用いて、前記システムモデル選定ステップにおいて選定された前記システムモデルの性能を評価する性能評価ステップと、前記性能評価ステップにおいて評価された前記システムモデルの性能と前記入力された前記構築要件とを比較して、当該構築要件のうち少なくとも必須に設定された前記構築要件を維持したままで、前記システムモデル選定ステップにおいて選定された前記システムモデルの前記設計情報に含まれるサーバの当該サーバに関するサイズを決定する要素であるサーバ要素が定まるか否かを判定するサーバ要素判定ステップと、前記サーバ要素判定ステップにおいて前記サーバ要素が定まらないと判定された場合に、緩和された前記構築要件を提示する緩和条件提示ステップと、を実行させることを特徴とする情報システム構築支援プログラム。
【００８３】
（付記１４）  前記運用情報取得ステップにおいて取得された前記運用情報に含まれるパラメータと前記入力された前記構築要件とを比較して、前記運用情報ごとに、前記入力された前記構築要件との類似度を算出する類似度算出ステップと、前記サーバ要素判定ステップにおいて前記サーバ要素が定まらないと判定された場合に、前記入力された前記構築要件を緩和して前記サーバ要素を算出するサーバ要素算出ステップと、をさらに含み、サーバ要素判定ステップでは、前記サーバ要素が定まるか否かを判定する際に、前記類似度算出ステップにおいて算出された前記類似度の逆数を不確実性の要素とし、ロバスト最適化を用いて、前記サーバ要素を算出し、前記サーバ要素算出ステップでは、前記類似度算出ステップにより算出された前記類似度の逆数を不確実性の要素とし、ロバスト最適化を用いて、前記サーバ要素を算出し、前記緩和条件提示ステップでは、前記サーバ要素算出ステップにおいて緩和された前記構築要件を提示する、ことを特徴とする付記１３記載の情報システム構築支援プログラム。
【００８４】
（付記１５）  前記構築要件は、アプリケーションが果たす役割を決めるための機能要件および前記構築予定システムで提供する品質の保証レベルを決めるためのサービスレベル要件であり、前記サーバ要素判定ステップでは、前記性能評価ステップにおいて評価された前記システムモデルの性能と前記入力された前記サービスレベル要件とを比較して、当該サービスレベル要件のうち少なくとも必須に設定された前記サービスレベル要件を維持したままで、前記サーバ要素が定まるか否かを判定し、前記サーバ要素算出ステップでは、前記サーバ要素判定ステップにおいて前記サーバ要素が定まらないと判定された場合に、前記入力された前記サービスレベル要件を緩和して前記サーバ要素を算出し、前記緩和条件提示ステップでは、前記サーバ要素算出ステップにおいて緩和された前記サービスレベル要件を提示する、ことを特徴とする付記１３または１４記載の情報システム構築支援プログラム。
【００８５】
（付記１６）  前記サーバ要素判定ステップにおいて前記サーバ要素が定まると判定された場合に、当該サーバ要素を設定した前記システムモデルを用いて構築可能な情報システムを、前記構築予定システムの候補として提示する構築候補提示ステップを、さらに含むことを特徴とする付記１３〜１５のいずれかに記載の情報システム構築支援プログラム。
【００８６】
（付記１７）  前記類似システムモデルは、前記システムモデル選定ステップにおいて選定された前記システムモデルの前記設計情報のうち前記サーバ要素のみが異なる他の前記設計情報の前記システムモデルである、ことを特徴とする付記１３〜１６のいずれかに記載の情報システム構築支援プログラム。
【００８７】
（付記１８）  前記システムモデルの性能は、非機能要件である、ことを特徴とする請求項１３〜１７のいずれか１項に記載の情報システム構築支援プログラム。
【００８８】
この出願は、２０１２年１０月２日に出願された日本出願特願２０１２−２２０６１７を基礎とする優先権を主張し、その開示の全てをここに取り込む。
【符号の説明】
【００８９】
１、１Ａ、１Ｂ    情報システム構築支援装置
２    システムモデル情報ＤＢ
３    運用情報ＤＢ
１１  システムモデル選定部
１２  運用情報取得部
１３  パラメータ算出部
１４  性能評価部
１５  サイジングファクタ判定部
１６  サイジングファクタ算出部
１７  緩和条件提示部
１８  構築候補提示部
１９  類似度算出部
２０  ＣＰＵ
３０  記憶装置
４０  入出力インターフェース
５０  バス
６０  記憶媒体
７０  ドライブ装置
【図１】
2014054232.tif 000003
【図２】
2014054232.tif 000004
【図３】
2014054232.tif 000005
【図４】
2014054232.tif 000006
【図５】
2014054232.tif 000007
【図６】
2014054232.tif 000008
【図７Ａ】
2014054232.tif 000009
【図７Ｂ】
2014054232.tif 000010
【図８】
2014054232.tif 000011
【図９】
2014054232.tif 000012
【図１０】
2014054232.tif 000013
【図１１】
2014054232.tif 000014
【図１２】
2014054232.tif 000015
【国際調査報告】
2014054232.tif 000016
2014054232.tif 000017